(57)【要約】【課題】流路抵抗を低減し、且つ、高いシール性を有する手押しポンプを提供すること。【解決手段】手押しポンプ１は、シリンダ２３と、シリンダ２３内に設けられ、シリンダ２３の軸方向に移動可能なピストン部材２４と、シリンダ２３の下端部及びピストン部材２４に設けられた弁座４４、弁座４４に移動可能に設けられた球状の弁体４５、及び、弁体４５の移動を規制する規制部４６を有する逆止弁２５と、を備える。【選択図】      図１
2017227170.tif 000002
【特許請求の範囲】
【請求項１】
シリンダと、
前記シリンダ内に設けられ、前記シリンダの軸方向に移動可能なピストン部材と、
前記シリンダの下端部及び前記ピストン部材に設けられた弁座、前記弁座に移動可能に設けられた球状の弁体、及び、前記弁体の移動方向を規制する規制部を有する逆止弁と、
を備えることを特徴とする手押しポンプ。
【請求項２】
前記弁体は、窪みを有し、
前記規制部は、前記窪みと係合する突起を有することを特徴とする請求項１に記載の手押しポンプ。
【請求項３】
前記窪みは、前記弁座に関する前記弁体の移動方向に沿う円柱状に構成され、
前記突起は、前記窪みに挿入可能な円柱状に構成されることを特徴とする請求項２に記載の手押しポンプ。
【請求項４】
前記弁体は、外面と前記窪みを連続し、且つ、前記窪みから下方に向かって延びる孔部を有することを特徴とする請求項３に記載の手押しポンプ。
【請求項５】
前記弁体は、前記窪みに挿入され、且つ、前記突起が挿入され、前記窪み及び前記規制部に支持されるバネ部材をさらに備えることを特徴とする請求項３に記載の手押しポンプ。
【請求項６】
前記弁体は、外面から突出する軸部を有し、
前記規制部は、円板状に構成され、前記軸部を挿通する開口部を有することを特徴とする請求項１に記載の手押しポンプ。
【請求項７】
前記弁体は、その外周面に円環状の突起を有し、
前記規制部は、前記弁体の外面の一部を挿入可能な開口部を有する基部と、前記基部に設けられ、前記突起の外径よりも大径の円筒状の案内部と、を備えることを特徴とする請求項１に記載の手押しポンプ。
【請求項８】
前記規制部は、前記弁体に設けられ、前記弁体の重量を偏心させる錘であることを特徴とする請求項１に記載の手押しポンプ。
【請求項９】
前記シリンダの一次側に設けられ、水中モータ、吸込ケーシング、回転軸、ポンプ部及び吐出ケーシングを有する水中ポンプを備えることを特徴とする請求項１に記載の手押しポンプ。
【請求項１０】
前記吐出ケーシングは、前記吐出ケーシングに設けられた前記弁座を有する前記逆止弁を備えることを特徴とする請求項９に記載の手押しポンプ。
【発明の詳細な説明】
【技術分野】
【０００１】
本発明は、井戸や貯水槽等に設置される手押しポンプに関する。
【背景技術】
【０００２】
家庭用井戸や貯水槽等から水を供給するために、手押しポンプが用いられている。このような手押しポンプは、シリンダ及びシリンダ内に設けられたピストンに、それぞれ逆止弁を設ける技術が知られている。
【０００３】
逆止弁は、円板状の弁体及び平面の座面により構成されている。しかし、円板状の弁体及び平面の座面により構成された逆止弁は、液体の流れ方向に直交する平面を弁体が構成することから、流路抵抗が大きいという問題がある。また、このような逆止弁は、弁体の主面と座面との当接面が平面であることから、井戸水中の砂等が当接面に位置すると弁体と座面との間に隙間が生じ、落水が生じる可能性がある。そこで、手押しポンプに用いられる逆止弁は、より高いシール性が求められている。
【０００４】
例えば、手押しポンプとして、シリンダ内の吸い込み側に球状の弁体を用いた逆止弁を設け、シリンダの二次側の吐き出し側の配管内に小球状の弁体を用いた逆止弁を設ける小型の手押しポンプも知られている（例えば、特許文献１参照）。
【先行技術文献】
【特許文献】
【０００５】
【特許文献１】特開２００５−０４２６９０号公報
【発明の概要】
【発明が解決しようとする課題】
【０００６】
上述した手押しポンプでは、以下の問題があった。即ち、球状の弁体は、樹脂材料によって分割金型で成形されるが、分割金型の合わせ面に樹脂が浸入し、弁体にバリが生じる。バリが座面に接触すると、弁体の表面と座面との間に隙間が生じ、漏れが生じるという問題がある。
【０００７】
例えば、バリが座面に接触しない姿勢で座面に配置することも考えられるが、座面から弁体が離間するときに回転してバリが座面に接触する虞がある。また、バリを除去することも考えられるが、製造工程及び製造コストが増加する。また、シール性の高い樹脂材料で弁体を構成する場合には、この樹脂材料の特性から、バリの除去が困難である。
【０００８】
また、手押しポンプの一次側や二次側に別のポンプが設けられる場合には、流路抵抗の低減及び落水の防止がより求められる。これらのことから、手押しポンプの逆止弁には、球体の弁体の使用が避けられ、円板状の弁体が用いられている。
【０００９】
そこで、本発明は、流路抵抗を低減し、且つ、高いシール性を有する手押しポンプを提供することを目的としている。
【課題を解決するための手段】
【００１０】
前記課題を解決し目的を達成するために、本発明の手押しポンプは、次のように構成されている。
【００１１】
本発明の一態様によれば、シリンダと、前記シリンダ内に設けられ、前記シリンダの軸方向に移動可能なピストン部材と、前記シリンダの下端部及び前記ピストン部材に設けられた弁座、前記弁座に移動可能に設けられた球状の弁体、及び、前記弁体の移動を規制する規制部を有する逆止弁と、を備える。
【発明の効果】
【００１２】
本発明によれば、流路抵抗を低減し、且つ、高いシール性を有する手押しポンプを提供することが可能となる。
【図面の簡単な説明】
【００１３】
【図１】本発明の第１の実施形態に係る手押しポンプの構成を模式的に示す説明図。
【図２】同手押しポンプの構成の一部を示す断面図。
【図３】同手押しポンプの構成の一部を示す断面図。
【図４】同手押しポンプの構成の一部を示す断面図。
【図５】同手押しポンプに用いられる水中ポンプの構成を一部断面で示す側面図。
【図６】同手押しポンプに用いられる逆止弁の構成を模式的に示す断面図。
【図７】本発明の第２の実施形態に係る手押しポンプに用いられる逆止弁の構成を模式的に示す断面図。
【図８】本発明の第３の実施形態に係る手押しポンプに用いられる逆止弁の構成を模式的に示す断面図。
【図９】本発明の第４の実施形態に係る手押しポンプに用いられる逆止弁の構成を模式的に示す断面図。
【図１０】本発明の第５の実施形態に係る手押しポンプに用いられる逆止弁の構成を模式的に示す断面図。
【図１１】本発明の第６の実施形態に係る手押しポンプに用いられる逆止弁の構成を模式的に示す断面図。
【図１２】本発明の第７の実施形態に係る手押しポンプに用いられる逆止弁の構成を模式的に示す上面図。
【図１３】本発明の第８の実施形態に係る手押しポンプに用いられる逆止弁の構成を模式的に示す上面図。
【発明を実施するための形態】
【００１４】
以下、本発明の第１の実施形態に係る手押しポンプ１を、図１乃至図６を用いて説明する。  
図１は本発明の一実施形態に係る手押しポンプ１の構成を模式的に示す説明図、図２は手押しポンプ１に用いられ、地上に配置される基部２１及びリンク機構部２７の構成を示す断面図、図３は手押しポンプ１の深井戸１００内に配置される連結管２２及びピストンロッド２６の構成を示す断面図、図４は手押しポンプ１の深井戸１００内に配置されるシリンダ２３、ピストン部材２４及びピストンロッド２６の構成を示す断面図、図５は手押しポンプ１に用いられる水中ポンプ１２の構成を一部断面で示す側面図、図６は手押しポンプ１に用いられる逆止弁２５の構成を模式的に示す断面図である。
【００１５】
図１乃至図５に示すように、手押しポンプ１は、深井戸１００に設置される。手押しポンプ１は、例えば一次側に直列に水中ポンプ１２が接続されることで構成される複合ポンプである。このような複合ポンプは、手押しポンプ１及び水中ポンプ１２のそれぞれにより、深井戸１００の井戸水１１０を揚水可能に構成されている。
【００１６】
手押しポンプ１は、基部２１と、基部２１の下端に接続された連結管２２と、連結管２２の下端に接続されたシリンダ２３と、シリンダ２３の内部に往復動可能に設けられたピストン部材２４と、シリンダ２３及びピストン部材２４に設けられた逆止弁２５と、ピストン部材２４に連結されたピストンロッド２６と、ピストンロッド２６に接続されたリンク機構部２７と、リンク機構部２７に設けられた操作レバー２８と、を備えている。
【００１７】
基部２１は、深井戸１００の開口部を覆うように、例えば水面に対して下端部が対向する姿勢で固定される。基部２１は、上端にピストンロッド２６を挿通可能な挿通孔２１ａと、挿通孔２１ａに設けられた軸封部材２１ｂと、を有する。
【００１８】
基部２１は、下端に連結管２２を接続可能な円筒状に構成される。また、基部２１は、例えば上方の外側面に吐出口２１ｃを有する。基部２１は、吐出口２１ｃと相対する側の上方の外面に、リンク機構部２７を支持する支持部２１ｄを備える。
【００１９】
軸封部材２１ｂは、ピストンロッド２６を摺動可能に支持する。また、軸封部材２１ｂは、ピストンロッド２６のラジアル方向の荷重を支持可能に形成されている。軸封部材２１ｂは、基部２１及びピストンロッド２６の間を密封する。軸封部材２１ｂは、例えば、水質に影響を与えない樹脂材料により形成されている。支持部２１ｄは、リンク機構部２７の一部を回転可能に支持する。
【００２０】
連結管２２は、一端が基部２１の下端に接続されるとともに、他端がシリンダ２３の上端に接続される。連結管２２は、基部２１とシリンダ２３との間を流体的に接続する。連結管２２は、ピストンロッド２６を内部空間に配置するとともに、内部空間にシリンダ２３から基部２１への井戸水の流路を構成する。連結管２２は、深井戸１００の深さに応じて、複数の配管２２ａを接続することで構成される。また、連結管２２は、連結される配管２２ａ間に設けられる規制部材２２ｂを有する。
【００２１】
複数の配管２２ａの内径は、井戸水が通過する流路が所定の流路断面積を有するように、ピストンロッド２６の外径よりも大径に構成される。
【００２２】
規制部材２２ｂは、配管２２ａと略同一の内径を有する円筒状に構成され、内周面にピストンロッド２６と所定の距離だけ間隙を開けて配置される複数の突起２２ｃを有する。規制部材２２ｂは、配管２２ａの間に介在して設けられる。規制部材２２ｂは、ピストンロッド２６が配管２２ａの軸心に対して傾斜したときに、ピストンロッド２６と当接することで、ピストンロッド２６の径方向の振れ量を規制可能に構成される。
【００２３】
シリンダ２３は、軸心が鉛直方向に沿って延設される筒状に構成される。シリンダ２３は、下端部が水中ポンプ１２に接続される。シリンダ２３は、シリンダ２３の上端部に設けられた降水弁３２を備えている。シリンダ２３は、シリンダ２３の下端部であって、水中ポンプ１２の二次側に逆止弁２５が設けられる。
【００２４】
シリンダ２３は、シリンダ２３の内部であって、且つ、ピストン部材２４の下方に吸込室２３ａを構成し、シリンダ２３の内部であって、且つ、ピストン部材２４の上方に吐出室２３ｂを有する。
【００２５】
シリンダ２３の内周面は、ピストン部材２４が摺動可能に構成される。シリンダ２３は、内周面の表面粗さ及び軸心に対する円心度が所定の精度で形成される。なお、ここで、所定の精度とは、ピストン部材２４の往復動において、ピストン部材２４及びシリンダ２３の間の漏水等を防止可能な精度であり、手押しポンプ１１の性能に応じて適宜設定可能である。
【００２６】
降水弁３２は、シリンダ２３の上端に設けられ、シリンダ２３の上端と外部とを連続する孔部３２ａと、孔部３２ａを閉塞する弁体３２ｂと、孔部３２ａを閉塞する方向に弁体３２ｂを付勢する付勢部材３２ｃと、一端が弁体３２ｂに固定された操作ワイヤ３２ｄと、を備えている。操作ワイヤ３２ｄは、弁体３２ｂから基部２１に渡って設けられ、地上において操作可能に構成される。
【００２７】
このような降水弁３２は、操作ワイヤ３２ｄを使用者が操作して弁体３２ｂを孔部３２ａから離間させることで、孔部３２ａより上方に位置する流路中の水を孔部３２ａから外部に排水可能に構成される。
【００２８】
ピストン部材２４は、ピストンロッド２６の下端側に接続されたピストンヨーク４１と、ピストンヨーク４１に設けられ、シリンダ２３の内周面を摺動可能に形成された単数又は複数のピストンシール４２と、を備えている。また、ピストン部材２４は、ピストンヨーク４１に逆止弁２５が設けられる。
【００２９】
ピストンヨーク４１は、例えば円筒状に構成され、その外周面にピストンシール４２を設けるシール溝４１ａを、ピストンシール４２と同数有する。また、ピストンヨーク４１は、ピストンロッド２６に接続される接続部４１ｂを有する。ピストンシール４２は、シリンダ２３の内周面と摺動可能に構成される。
【００３０】
逆止弁２５は、弁座４４と、弁座４４と当接する弁体４５と、弁体４５の移動を規制する規制部４６と、を備えている。
【００３１】
弁座４４は、円環状に構成される。弁座４４は、シリンダ２３の下端中央部及びピストンヨーク４１の中央部に設けられる。弁座４４は、シリンダ２３の軸方向に対して傾斜する座面を有する。
【００３２】
弁体４５は、樹脂材料で成形される。弁体４５は、円柱状の窪み４５ａと、窪み４５ａ及び外面を連続する孔部４５ｂを有する球状に構成される。弁体４５は、例えば、２つの分割型により成形される。例えば、弁体４５は、分割型を合わせる合わせ面により、周方向に連続又は非連続のバリ４５ｃが生じる。弁体４５は、弁座４４に関して、離間及び当接可能に構成される。
【００３３】
窪み４５ａは、弁体４５の移動量及び弁体４５のシリンダ２３等の軸方向に交差する方向を軸周りとした回転等の、弁体４５の移動を規制部４６とともに規制する被規制部である。窪み４５ａは、バリ４５ｃが設けられる周方向に対して直交する方向、換言すると当該合わせ面に対して直交する方向に設けられる。また、孔部４５ｂは、当該合わせ面に対して傾斜する方向であって、窪み４５ａと弁座４４に当接する部位よりも上方とを連続する。換言すると、孔部４５ｂは、窪み４５ａと弁座４４に当接する部位及びバリ４５ｃの間とを連続して配置される。
【００３４】
規制部４６は、シリンダ２３の下端及びピストンヨーク４１に固定される基部４６ａと、基部４６ａに固定され、弁体４５の窪み４５ａに挿入可能な円柱状の突起４６ｂと、を備える。規制部４６は、突起４６ｂが弁体４５の窪み４５ａに挿入されることで、弁体４５の移動を案内し、弁体４５がシリンダ２３の軸方向に交差する方向を軸周りに回転することを防止する。即ち、規制部４６及び被規制部である窪み４５ａは、弁体４５の移動方向を案内する。また、規制部４６は、弁体４５の可動範囲において、突起４６ｂの少なくとも一部が窪み４５ａに配置される長さに構成される。
【００３５】
ピストンロッド２６は、円柱状に形成され、下端部にピストン部材２４のピストンヨーク４１に設けられた固定部４１ｄが固定される。ピストンロッド２６は、シリンダ２３、連結管２２及び基部２１に渡って配置され、基部２１の挿通孔２１ａを通って基部２１の外部へ延設される。ピストンロッド２６は、例えば、複数の軸体２６ａと、これら軸体２６ａを接続する単数又は複数の継手２６ｂと、を備えている。
【００３６】
リンク機構部２７は、第１リンク部材５１と、第２リンク部材５２と、連結軸５３と、を備えている。
【００３７】
第１リンク部材５１は、その長手方向の両端部が、それぞれ連結軸５３によって、支持部２１ｄ及び第２リンク部材５２に連結される。第１リンク部材５１は、板状に形成され、支持部２１ｄに連結軸５３を中心に回転可能に支持される。
【００３８】
第２リンク部材５２は、ピストンロッド２６の上端及び第１リンク部材５１に連結軸５３により連結される。第２リンク部材５２は、板状に形成され、ピストンロッド２６及び第１リンク部材５１に対して回動可能に、ピストンロッド２６及び第１リンク部材５１に支持される。第２リンク部材５２は、長手方向の一端にピストンロッド２６が連結され、長手方向の他端に操作レバー２８が固定される。また、第２リンク部材５２は、その中途部に第１リンク部材５１が連結される。
【００３９】
操作レバー２８は、第２リンク部材５２に接続され、所定の長さに形成された棒状の部材である。
【００４０】
水中ポンプ１２は、水中モータ６１と、吸込ケーシング６２と、回転軸６３と、ポンプ部６４と、吐出ケーシング６５と、固定バンド６６と、電源ケーブル６７と、を備えている。
【００４１】
水中モータ６１は、駆動軸６１ａを有する。水中モータ６１は、電源ケーブル６７を介して外部電源に接続されている。駆動軸６１ａは、例えば継手６１ｂ等を介して回転軸６３に接続される。
【００４２】
吸込ケーシング６２は、水中モータ６１の上部に設けられ、ポンプ部６４の最下段として配置される。吸込ケーシング６２は、略円筒状に形成されるとともに、下部に水中モータ６１のモータケーシングにボルト等により固定される。吸込ケーシング６２は、その外周面に設けられた吸込口６２ａと、吸込口６２ａを覆うストレーナ６２ｂと、を備えている。吸込ケーシング６２は、上端部にポンプ部６４が固定されるとともに、固定バンド６６の一方が固定される。
【００４３】
回転軸６３は、例えば、一端が水中モータ６１の駆動軸６１ａに継手６１ｂを介して接続され、他端が吐出ケーシング６５に回転可能に支持され、吸込ケーシング６２及びポンプ部６４内に収納される。
【００４４】
ポンプ部６４は、吸込ケーシング６２の上部に固定され、その内部に回転軸６３を収納可能に形成されている。具体的に説明すると、ポンプ部６４は、回転軸６３に固定された複数のインペラ６４ａと、インペラ６４ａをそれぞれ収納する複数の中間ケーシング６４ｂと、を備えている。
【００４５】
ポンプ部６４は、インペラ６４ａと中間ケーシング６４ｂとの間に設けられたライナリングと、回転軸６３と中間ケーシング６４ｂとの間に設けられた軸受部材と、を備えている。
【００４６】
インペラ６４ａは、ステンレスや樹脂等で成型され、一対の円板状のシュラウド、及び、一対のシュラウド間に設けられた複数の羽根を備える。インペラ６４ａは、一対のシュラウドの一方が回転軸６３に固定され、他方のシュラウドが吸込口を構成する。
【００４７】
複数の中間ケーシング６４ｂは、積層されて一体に構成される。中間ケーシング６４ｂは、回転軸６３を挿通可能に構成される。中間ケーシング６４ｂは、収納されたインペラ６４ａにより増圧された流体を、二次側のインペラ６４ａの吸込口に案内可能に構成される。
【００４８】
吐出ケーシング６５は、例えば固定バンド６６の他方が固定されるケーシング本体７１と、ケーシング本体７１内に設けられた逆止弁２５と、を備えている。ケーシング本体７１は、下端が中間ケーシング６４ｂに接続され、上端が手押しポンプ１１のシリンダ２３の下端に接続される。吐出ケーシング６５に設けられた逆止弁２５は、ケーシング本体７１の内部に弁座４４、弁体４５及び規制部４６が設けられる。
【００４９】
次に、複合ポンプの使用について説明する。  
通常時においては、水中ポンプ１２を駆動し、井戸水を揚水する。具体的には、先ず、電源ケーブル６７を介して供給された電力によって水中モータ６１を駆動し、インペラ６４ａを回転させる。これにより、井戸水が、吸込ケーシング６２の吸込口６２ａから吸い込まれ、各インペラ６４ａで増圧される。井戸水は、ケーシング本体７１に設けられた逆止弁２５の弁体４５を弁座４４から離間させて開状態とし、吐出ケーシング６５から手押しポンプ１１に移動する。
【００５０】
吐出ケーシング６５から吐出された井戸水は、手押しポンプ１１のシリンダ２３に設けられた逆止弁２５及びピストンヨーク４１に設けられた逆止弁２５の双方の弁体４５を弁座４４から離間させて開状態とする。これにより、井戸水は、シリンダ２３、連結管２２及び基部２１を順次移動し、基部２１の吐出口２１ｃから吐出される。
【００５１】
このように、通常時には、水中ポンプ１２を駆動し、吸込ケーシング６２から吸い込んだ水を水中ポンプ１２で増圧し、各逆止弁２５を開き、吐出ケーシング６５から手押しポンプ１１内を通過させて、井戸水を二次側に給水する。
【００５２】
また、停電時においては、使用者が操作レバー２８を操作して、井戸水を揚水する。具体的には、先ず、シリンダ２３内に空気が存在する場合には、シリンダ２３内を水で充満させる、所謂呼び水を行う。次に、使用者は、操作レバー２８を操作し、ピストン部材２４を上下方向に往復動させる。
【００５３】
操作レバー２８が上方に位置し、ピストン部材２４が下死点側に位置する場合には、使用者は、操作レバー２８を操作し、操作レバー２８を下方に回動させる。
【００５４】
この操作により、操作レバー２８は、第１リンク部材５１の端部を中心に回動し、ピストンロッド２６が軸心方向に沿って上方へ移動し、図４に実線で示すように、ピストン部材２４が上死点側に移動する。ピストン部材２４が上死点側に向かって移動すると、シリンダ２３内のピストン部材２４の下方の空間である吸込室２３ａの容積が増加する。
【００５５】
このため、ピストン部材２４が上死点側に移動して吸込室２３ａの容積が増加すると、吸込室２３ａの圧力が減少する。シリンダ２３の逆止弁４４の一次側の圧力が吸込室２３ａの圧力よりも高く、換言すると、吸込室２３ａの圧力が負圧になると、図５中、二点鎖線で示す様に、弁体４５が上方に移動して開状態となり、吐出ケーシング６５から吸込室２３ａに水が流入する。
【００５６】
なお、このとき、ピストンヨーク４１の逆止弁２５は、図４に実線で示す様に、弁体４５が弁座４４に当接した状態、即ち、閉状態となり、吐出室２３ｂへの水の移動が規制される。
【００５７】
次に、使用者は、操作レバー２８を操作し、操作レバー２８を上方に回動させる。操作レバー２８が上方に回動すると、第２リンク部材５２は、第１リンク部材５１と連結される連結軸５３を中心にピストンロッド２６と連結される端部が下方に移動するように回動し、結果、ピストンロッド２６が下方に移動する。このようなリンク機構部２７の動作により、図４に二点鎖線で示すように、ピストン部材２４は下死点側に移動する。ピストン部材２４が下死点側へ移動すると、吸込室２３ａの容積が減少し、吸込室２３ａ内の圧力が増加する。
【００５８】
吸込室２３ａ内の圧力が吐出室２３ｂ内の圧力よりも高く、換言すると、吸込室２３ａの圧力が大気圧よりも高くなると、図４に示すように、ピストンヨーク４１の弁体４５が上方に移動して弁体４５が弁座４４から離間し、開状態となる。これにより、吸込室２３ａ内の井戸水が吐出室２３ｂに流入する。
【００５９】
このように、ピストン部材２４が下死点側に移動することで、吸込室２３ａ内の水が吐出室２３ｂに移動する。以降、使用者は操作レバー２８を往復動させることで、ピストン部材２４を往復動させ、水を揚水することが可能となる。
【００６０】
また、吸込室２３ａへ吸い込まれる井戸水は、水中ポンプ１２の吸込ケーシング６２から、ポンプ部６４及び吐出ケーシング６５を通過して移動する。
【００６１】
このように、停電時には、手押しポンプ１１を操作して、水中ポンプ１２通過する流路により深井戸１００から井戸水を吸い込み、手押しポンプ１１内を通過させて、二次側に給水する。
【００６２】
このように構成された手押しポンプ１によれば、逆止弁２５に規制部４６と被規制部である窪み４５ａを設けることで、弁体４５の移動を規制することが可能となる。これにより、弁体４５を球状とすることで成形時にバリ４５ｃが生じたとしても、弁体４５の移動時にバリ４５ｃが弁座４４と当接する位置に弁体４５が回転移動することを防止できる。結果、逆止弁２５は、良好なシール性を保つことが可能となる。
【００６３】
これにより、手押しポンプ１は、落水を防止することが可能となる。また、手押しポンプ１１は、一次側に水中ポンプ１２を接続し、深井戸１００から水中ポンプ１２及び手押しポンプ１１内を通過する一つの水の流路を設け、当該流路を手押しポンプ１１及び水中ポンプ１２で共用する構成とした場合であっても、確実に落水を防止することが可能となり、高い信頼性を有する。
【００６４】
また、弁体４５を球状とすることで、逆止弁２５が開いたときに、水は弁体４５の球面を沿って二次側に移動することになる。よって、弁体４５は、平板状の弁体に比べ、水の流れを阻害することを防止し、流路抵抗を低減することが可能となる。
【００６５】
また、弁体４５は、窪み４５ａと外面との間を結ぶ孔部４５ｂを有することで、井戸水等に含まれる砂等が窪み４５ａに浸入しても、外部に排出することが可能となる。これにより、窪み４５ａの端面に砂等が積層され、弁体４５の移動が阻害されることを防止できる。
【００６６】
上述したように、手押しポンプ１は、流路抵抗を低減し、且つ、高いシール性を有することが可能となる。
【００６７】
次に、本発明の第２の実施形態に係る手押しポンプ１の逆止弁２５Ａについて、図７を用いて説明する。なお、第２の実施形態に係る逆止弁２５Ａの構成のうち、第１の実施形態に係る逆止弁２５と同様の構成には同一符号を付し、その詳細な説明は省略する。  
逆止弁２５Ａは、弁座４４と、弁体４５と、規制部４６と、弁体４５及び規制部４６の間に設けられるバネ部材４７と、を備えている。
【００６８】
バネ部材４７は、圧縮コイルバネである。バネ部材４７は、弁体４５の窪み４５ａ及び規制部４６の突起４６ｂに挿入可能に構成される。バネ部材４７は、一端が窪み４５ａの端面に支持され、他端が規制部４６の基部４６ａに支持される。
【００６９】
このように構成された逆止弁２５Ａを用いた手押しポンプ１によれば、上述した第１の実施形態に係る手押しポンプ１と同様の効果を奏する。また、逆止弁２５Ａは、バネ部材４７により、弁体４５を弁座４４に向かって常時付勢する。このため、手押しポンプ１を駆動したときの早いストロークに対応して、早い開閉動作が可能となる。また、手押しポンプ１に水中ポンプ１２を設けた場合に、水中ポンプ１２の起動及び停止時に生じるウォーターハンマを軽減することが可能となる。
【００７０】
次に、本発明の第３の実施形態に係る手押しポンプ１の逆止弁２５Ｂについて、図８を用いて説明する。なお、第３の実施形態に係る逆止弁２５Ｂの構成のうち、第１の実施形態に係る逆止弁２５と同様の構成には同一符号を付し、その詳細な説明は省略する。  
逆止弁２５Ｂは、弁座４４と、弁体４５Ｂと、規制部４６Ｂと、を備えている。
【００７１】
弁体４５Ｂは、球体に構成されるとともに、その一部から突出する円筒状の軸部４５ｄを備える。軸部４５ｄは、被規制部である。軸部４５ｄは、インサート成形によって弁体４５Ｂに一体に設けられる。軸部４５ｄは、バリ４５ｃが設けられる周方向に対して直交する方向、換言すると、分割型を合わせる合わせ面に対して直交する方向に設けられる。
【００７２】
規制部４６Ｂは、軸部４５ｄが挿入可能な開口部４６ｃを有する円板状に構成される。規制部４６は、開口部４６ｃにより軸部４５ｄの移動を案内する。規制部４６は、弁体４５Ｂに当接することで、弁体４５Ｂの移動量を規制する。
【００７３】
このように構成された逆止弁２５Ｂを用いた手押しポンプ１によれば、上述した第１の実施形態に係る手押しポンプ１と同様に、被規制部である軸部４５ｄ及び規制部４６Ｂにより、弁体４５Ｂの移動方向を規制することが可能となる。これにより、弁体４５Ｂを球状とすることで成形時にバリ４５ｃが生じたとしても、弁体４５Ｂの移動時にバリ４５ｃが弁座４４と当接する位置となるように、弁体４５Ｂが回転することを防止できる。結果、逆止弁２５Ｂは、良好なシール性を保つことが可能となる。
【００７４】
次に、本発明の第４の実施形態に係る手押しポンプ１の逆止弁２５Ｃについて、図９を用いて説明する。なお、第４の実施形態に係る逆止弁２５Ｃの構成のうち、第１の実施形態に係る逆止弁２５と同様の構成には同一符号を付し、その詳細な説明は省略する。  
逆止弁２５Ｃは、弁座４４と、弁体４５Ｃと、規制部４６Ｃと、を備えている。
【００７５】
弁体４５Ｃは、球状に構成されるとともに、周方向に連続する円環状の突起４５ｅを有する。突起４５ｅは、分割型の合わせ面に円環状の窪みを設けることで構成される。換言すると、突起４５ｅは弁体４５のバリ４５ｃが生じる部位に設けられる。
【００７６】
規制部４６Ｃは、開口部４６ｄを有する円板状の基部４６ｅと、基部４６ｅに設けられた円筒状の案内部４６ｆと、を備えている。開口部４６ｄは、弁体４５Ｃの一部が挿入可能な径に構成される。案内部４６ｆは、その内径が、弁体４５Ｃの突起４５ｅが設けられた部位の外径よりも若干大径に構成される。規制部４６Ｃは、基部４６ｅにより弁体４５Ｃのシリンダ２３の軸方向の移動を規制するとともに、案内部４６ｆにより弁体４５Ｃのシリンダ２３の径方向の移動を規制する。案内部４６ｆは、逆止弁２５Ｃの開状態及び閉状態のいずれにおいても、弁体４５Ｃの突起４５ｅが配置される長さに構成される。
【００７７】
このように構成された逆止弁２５Ｃを用いた手押しポンプ１によれば、上述した第１の実施形態に係る手押しポンプ１と同様の効果を奏する。また、逆止弁２５Ｃは、バリ４５ｃが生じる部位に被規制部として突起４５ｅを設ける構成とすることで、突起４５ｅが基部４６ｅ又は案内部４６ｆに当接し、弁体４５Ｃが回転することを防止可能となる。結果、逆止弁２５Ｂは、良好なシール性を保つことが可能となる。また、突起４５ｅを設けることで、逆止弁２５Ｃにバリ４５ｃが生じることを防止できる。
【００７８】
次に、本発明の第５の実施形態に係る手押しポンプ１の逆止弁２５Ｄについて、図１０を用いて説明する。なお、第５の実施形態に係る逆止弁２５Ｄの構成のうち、第１の実施形態に係る逆止弁２５と同様の構成には同一符号を付し、その詳細な説明は省略する。  
逆止弁２５Ｄは、弁座４４と、弁体４５Ｄと、カバー４６Ｄと、を備えている。
【００７９】
弁体４５Ｄは、弁座４４に当接したときに、下方に重量が偏心するように、弁体４５Ｄ内に設けられた錘４５ｆを有する。錘４５ｆは、例えば、金属材料により球状に構成される。錘４５ｆは、重量を偏心させることで、弁体４５Ｄの回転を規制する規制部である。
【００８０】
カバー４６Ｄは、弁体４５Ｄの二次側であって、且つ、弁体４５Ｄの移動方向上で、弁体４５Ｄを覆い、弁体４５Ｄの移動を規制するとともに、水を通過させることが可能に構成される。カバー４６Ｄは、弁体４５Ｄのシリンダ２３の軸方向の移動量を規制する。
【００８１】
このように構成された逆止弁２５Ｄは、弁体４５Ｄ内に錘を設けて重量を偏心させることで、弁体４５Ｄの移動時に、常に一端側が下方に位置することになる。これにより、バリ４５ｃが弁座４４と当接することなく、可動時に常に略同じ位置で弁体４５Ｄの外面が弁座４４に当接する。このため、逆止弁２５Ｄは、上述した逆止弁２５と同様の効果を奏する。
【００８２】
なお、本発明は前記実施の形態に限定されるものではない。例えば、逆止弁２５〜２５Ｄは、上記構成に限定されない。例えば、図１１に示す第６の実施形態に係る逆止弁２５Ｅのように、弁体４５Ｅの下端から突出する円柱状の錘４５ｇを有する構成としてもよい。また、逆止弁２５の窪み４５ａ及び突起４６ｂを図１２に示す第７の実施形態に係る逆止弁２５Ｆの弁体４５Ｆ及び規制部４６Ｆを示す上面図に示すように、弁体４５Ｆ及び規制部４６Ｆは、十字状の窪み４５ｈ及び窪み４５ｈに挿入可能な十字状の突起４６ｈとする構成であってもよい。同様に、図１３に示す第８の実施形態に係る逆止弁２５Ｇの弁体４５Ｇ及び４６Ｇに示すように、一文字状の窪み４５ｉ及び窪み４５ｉに挿入可能な一文字状の突起４６ｉとする構成であってもよい。
【００８３】
また、上述した例では、手押しポンプ１は、その一次側に水中ポンプ１２が設けられる構成を説明したがこれに限定されない。手押しポンプ１は、水中ポンプ１２を有さない構成であってもよい。
【００８４】
また、手押しポンプ１は、基部２１の一次側であって井戸中に配置されるシリンダ２３を設ける構成を説明したがこれに限定されない。手押しポンプ１は、基部２１をシリンダとし、基部２１内にピストン部材２４及び２つの逆止弁２５を設ける構成であってもよい。この他、本発明の要旨を逸脱しない範囲で種々変形実施可能である。
【符号の説明】
【００８５】
１…手押しポンプ、１２…水中ポンプ、１４…操作レバー、２１…基部、２１ａ…挿通孔、２１ｂ…軸封部材、２１ｃ…吐出口、２１ｄ…支持部、２２…連結管、２２ａ…配管、２２ｂ…規制部材、２２ｃ…突起、２３…シリンダ、２３ａ…吸込室、２３ｂ…吐出室、２４…ピストン部材、２５…逆止弁、２６…ピストンロッド、２７…リンク機構部、２８…操作レバー、３２…降水弁、３２ａ…孔部、３２ｂ…弁体、３２ｃ…付勢部材、３２ｄ…操作ワイヤ、４１…ピストンヨーク、４１ａ…シール溝、４１ｂ…接続部、４１ｃ…突起、４１ｄ…固定部、４２…ピストンシール、４４…弁座、４５…弁体、４６…規制部、５１…第１リンク部材、５２…第２リンク部材、５３…連結軸、６１…水中モータ、６１ａ…駆動軸、６１ｂ…継手、６２…吸込ケーシング、６２ａ…吸込口、６２ｂ…ストレーナ、６３…回転軸、６４…ポンプ部、６４ａ…インペラ、６４ｂ…中間ケーシング、６５…吐出ケーシング、６６…固定バンド、６７…電源ケーブル、７１…ケーシング本体、１００…深井戸、１１０…井戸水。
【図１】
2017227170.tif 000003
【図２】
2017227170.tif 000004
【図３】
2017227170.tif 000005
【図４】
2017227170.tif 000006
【図５】
2017227170.tif 000007
【図６】
2017227170.tif 000008
【図７】
2017227170.tif 000009
【図８】
2017227170.tif 000010
【図９】
2017227170.tif 000011
【図１０】
2017227170.tif 000012
【図１１】
2017227170.tif 000013
【図１２】
2017227170.tif 000014
【図１３】
2017227170.tif 000015